【手続補正書】
【提出日】平成26年11月11日(2014.11.11)
【手続補正１】
【補正対象書類名】特許請求の範囲
【補正対象項目名】全文
【補正方法】変更
【補正の内容】
【特許請求の範囲】
【請求項１】
フォーカスレンズの移動中に、被写体からの光を光電変換して撮像信号を順次生成する撮像手段と、
前記撮像信号から被写体のコントラストを示す焦点信号を生成する生成手段と、
当該焦点信号に基づいて前記フォーカスレンズの駆動を制御する制御部を備えた撮像装置であって、
前記制御部は、第１の領域と当該第１の領域より前記焦点信号のピーク位置から遠い第２の領域を含む範囲において前記フォーカスレンズを一方向に駆動するスキャン動作を行い、
前記スキャン動作において、前記制御部は、前記フォーカスレンズが前記第１の領域にあるときの駆動速度を第１の速度に設定し、所定の条件を満たす場合、前記フォーカスレンズが前記第２の領域にあるときの駆動速度を前記第１の速度より速い第２の速度に設定し、
前記スキャン動作中に前記第２の速度で前記フォーカスレンズを駆動している際に、前記フォーカスレンズの位置に対する前記焦点信号の勾配が第１の所定値を超えた場合、前記制御部は、前記フォーカスレンズの駆動速度を前記第１の速度に変更することを特徴とする撮像装置。
【請求項２】
前記第１の所定値は、絞り値、被写体のコントラスト、被写体の周波数、前記焦点信号を取得する領域の大きさ、前記フォーカスレンズの駆動速度の少なくとも一つに応じて変更されることを特徴とする請求項１に記載の撮像装置。
【請求項３】
前記第１の領域は、前記焦点信号がピークになる位置に対して所定の距離以内の領域であり、前記第２の領域は、前記焦点信号がピークになる位置に対して所定の距離より離れた領域であることを特徴とする請求項１または２に記載の撮像装置。
【請求項４】
前記撮像装置の動きを検出する動き検出部をさらに有し、
前記所定の条件は、前記動き検出部により検出された前記撮像装置の動き量が第１の量より小さいことであることを特徴とする請求項１乃至３のいずれか１項に記載の撮像装置。
【請求項５】
被写体の動きを検出する動体検出部をさらに有し、
前記所定の条件は、前記動体検出部により検出された被写体の動き量が第２の量より小さいことであることを特徴とする請求項１乃至４のいずれか１項に記載の撮像装置。
【請求項６】
被写体輝度を検出する輝度検出部をさらに有し、
前記所定の条件は、前記輝度検出部により検出された被写体輝度が所定の範囲内であることであることを特徴とする請求項１乃至５のいずれか１項に記載の撮像装置。
【請求項７】
前記所定の条件は、焦点距離が第１の距離より長いことであることを特徴とする請求項１乃至６のいずれか１項に記載の撮像装置。
【請求項８】
前記所定の条件は、測距距離範囲が第２の距離より長いことであることを特徴とする請求項１乃至７のいずれか１項に記載の撮像装置。
【請求項９】
前記制御部は、前記スキャン動作の前に、当該スキャン動作と逆方向に前記フォーカスレンズを駆動する初期動作を行い、前記初期動作の際に取得した前記焦点信号に基づいて、前記スキャン動作を開始する際の前記フォーカスレンズの速度を設定することを特徴とする請求項１乃至８のいずれか１項に記載の撮像装置。
【請求項１０】
前記所定の条件は、前記初期動作の終了時に取得した前記焦点信号の前記フォーカスレンズの位置に対する勾配が第２の所定値より小さいことであることを特徴とする請求項９に記載の撮像装置。
【請求項１１】
前記スキャン動作における前記第１の所定値は、前記初期動作における前記第２の所定値より小さいことを特徴とする請求項１０に記載の撮像装置。
【請求項１２】
被写体からの光を光電変換して撮像信号を生成する撮像手段と、前記撮像信号から被写体のコントラストを示す焦点信号を生成する生成手段を備えた撮像装置の制御方法であって、
フォーカスレンズの移動中に、前記撮像手段により前記撮像信号を順次生成する生成ステップと、
前記焦点信号に基づいて前記フォーカスレンズの駆動を制御する制御ステップを備え、
前記制御ステップにより、第１の領域と当該第１の領域より前記焦点信号のピーク位置から遠い第２の領域を含む範囲において前記フォーカスレンズを一方向に駆動するスキャン動作を行い、
前記スキャン動作において、前記フォーカスレンズが前記第１の領域にあるときの駆動速度を第１の速度に設定し、所定の条件を満たす場合、前記フォーカスレンズが前記第２の領域にあるときの駆動速度を前記第１の速度より速い第２の速度に設定し、
前記スキャン動作中に前記第２の速度で前記フォーカスレンズを駆動している際に、前記フォーカスレンズの位置に対する前記焦点信号の勾配が第１の所定値を超えた場合、前記フォーカスレンズの駆動速度を前記第１の速度に変更することを特徴とする撮像装置の制御方法。
【請求項１３】
被写体からの光を光電変換して撮像信号を生成する撮像手段と、前記撮像信号から被写体のコントラストを示す焦点信号を生成する生成手段を備えた撮像装置の制御をコンピュータに実行させるプログラムであって、
フォーカスレンズの移動中に、前記撮像手段により前記撮像信号を順次生成する生成ステップと、
前記焦点信号に基づいて前記フォーカスレンズの駆動を制御する制御ステップを備え、
前記制御ステップにより、第１の領域と当該第１の領域より前記焦点信号のピーク位置から遠い第２の領域を含む範囲において前記フォーカスレンズを一方向に駆動するスキャン動作を行い、
前記スキャン動作において、前記フォーカスレンズが前記第１の領域にあるときの駆動速度を第１の速度に設定し、所定の条件を満たす場合、前記フォーカスレンズが前記第２の領域にあるときの駆動速度を前記第１の速度より速い第２の速度に設定し、
前記スキャン動作中に前記第２の速度で前記フォーカスレンズを駆動している際に、前記フォーカスレンズの位置に対する前記焦点信号の勾配が第１の所定値を超えた場合、前記フォーカスレンズの駆動速度を前記第１の速度に変更することを特徴とするプログラム。
【手続補正２】
【補正対象書類名】明細書
【補正対象項目名】０００５
【補正方法】変更
【補正の内容】
【０００５】
前記課題を解決するため、本発明に係る撮像装置は、フォーカスレンズの移動中に、被写体からの光を光電変換して撮像信号を順次生成する撮像手段と、前記撮像信号から被写体のコントラストを示す焦点信号を生成する生成手段と、当該焦点信号に基づいて前記フォーカスレンズの駆動を制御する制御部を備えた撮像装置であって、前記制御部は、第１の領域と当該第１の領域より前記焦点信号のピーク位置から遠い第２の領域を含む範囲において前記フォーカスレンズを一方向に駆動するスキャン動作を行い、前記スキャン動作において、前記制御部は、前記フォーカスレンズが前記第１の領域にあるときの駆動速度を第１の速度に設定し、所定の条件を満たす場合、前記フォーカスレンズが前記第２の領域にあるときの駆動速度を前記第１の速度より速い第２の速度に設定し、前記スキャン動作中に前記第２の速度で前記フォーカスレンズを駆動している際に、前記フォーカスレンズの位置に対する前記焦点信号の勾配が第１の所定値を超えた場合、前記制御部は、前記フォーカスレンズの駆動速度を前記第１の速度に変更することを特徴とする。
本発明に係る撮像装置の制御方法は、被写体からの光を光電変換して撮像信号を生成する撮像手段と、前記撮像信号から被写体のコントラストを示す焦点信号を生成する生成手段を備えた撮像装置の制御方法であって、フォーカスレンズの移動中に、前記撮像手段により前記撮像信号を順次生成する生成ステップと、前記焦点信号に基づいて前記フォーカスレンズの駆動を制御する制御ステップを備え、前記制御ステップにより、第１の領域と当該第１の領域より前記焦点信号のピーク位置から遠い第２の領域を含む範囲において前記フォーカスレンズを一方向に駆動するスキャン動作を行い、前記スキャン動作において、前記フォーカスレンズが前記第１の領域にあるときの駆動速度を第１の速度に設定し、所定の条件を満たす場合、前記フォーカスレンズが前記第２の領域にあるときの駆動速度を前記第１の速度より速い第２の速度に設定し、前記スキャン動作中に前記第２の速度で前記フォーカスレンズを駆動している際に、前記フォーカスレンズの位置に対する前記焦点信号の勾配が第１の所定値を超えた場合、前記フォーカスレンズの駆動速度を前記第１の速度に変更することを特徴とする。
本発明に係る撮像装置の制御に用いるプログラムは、被写体からの光を光電変換して撮像信号を生成する撮像手段と、前記撮像信号から被写体のコントラストを示す焦点信号を生成する生成手段を備えた撮像装置の制御をコンピュータに実行させるプログラムであって、フォーカスレンズの移動中に、前記撮像手段により前記撮像信号を順次生成する生成ステップと、前記焦点信号に基づいて前記フォーカスレンズの駆動を制御する制御ステップを備え、前記制御ステップにより、第１の領域と当該第１の領域より前記焦点信号のピーク位置から遠い第２の領域を含む範囲において前記フォーカスレンズを一方向に駆動するスキャン動作を行い、前記スキャン動作において、前記フォーカスレンズが前記第１の領域にあるときの駆動速度を第１の速度に設定し、所定の条件を満たす場合、前記フォーカスレンズが前記第２の領域にあるときの駆動速度を前記第１の速度より速い第２の速度に設定し、前記スキャン動作中に前記第２の速度で前記フォーカスレンズを駆動している際に、前記フォーカスレンズの位置に対する前記焦点信号の勾配が第１の所定値を超えた場合、前記フォーカスレンズの駆動速度を前記第１の速度に変更することを特徴とする。